(57)【要約】【課題】計測用電波を受信したことに基づいて、競技者のコンディション管理に有用な情報を提供できる電子機器を提供すること。【解決手段】計測システムは、計測用電波を発する電波送信装置と、複数の地点を通過する移動体に装着される電子機器であって前記電波送信装置が発した前記計測用電波を受信する電子機器と、を含み、前記電子機器が前記計測用電波を受信したことに基づいて、前記電子機器は次の地点までのコース属性情報を表示する。【選択図】図２
2016137069.tif 000002
【特許請求の範囲】
【請求項１】
複数の地点を通過する移動体に装着される電子機器であって、
前記複数の地点にそれぞれ対応する地点において計測用電波を受信する受信部と、
前記受信部が前記計測用電波を受信したことに基づいて、次の地点までのコース属性情報を表示する表示部と、
を備えることを特徴とする、電子機器。
【請求項２】
前記コース属性情報として、コースの勾配を示す情報を用いる、
ことを特徴とする、請求項１に記載の、電子機器。
【請求項３】
前記コース属性情報として、コース中の給水と給食との少なくとも一方を示す情報を用いる、
ことを特徴とする、請求項１または請求項２に記載の、電子機器。
【請求項４】
各地点の前記コース属性情報を記憶する記憶部、
を備えることを特徴とする、請求項１から請求項３のいずれか一項に記載の、電子機器。
【請求項５】
各地点の前記コース属性情報を受信する通信部、
を備えることを特徴とする、請求項１から請求項４のいずれか一項に記載の、電子機器。
【請求項６】
各地点の前記コース属性情報を入力する入力部、
を備えることを特徴とする、請求項１から請求項５のいずれか一項に記載の、電子機器。
【請求項７】
計測用電波を発する電波送信装置と、
複数の地点を通過する移動体に装着される電子機器であって、前記電波送信装置が発した前記計測用電波を受信する電子機器と、
を含み、前記電子機器が前記計測用電波を受信したことに基づいて、前記電子機器は次の地点までのコース属性情報を表示する、
ことを特徴とする、計測システム。
【請求項８】
複数の地点を通過する移動体に装着される電子機器のコンピューターに、
前記複数の地点にそれぞれ対応する地点において計測用電波を受信する手順と、
前記計測用電波を受信したことに基づいて、次の地点までのコース属性情報を表示する手順と、
を実行させるための、電子機器の制御プログラム。
【発明の詳細な説明】
【技術分野】
【０００１】
本発明は、電子機器、計測システム、及び電子機器の制御プログラムに関する。
【背景技術】
【０００２】
マラソンや自転車ロードレース等のスポーツ競技の競技者にとって、レースコース中のの勾配区間に関する情報は重要である。競技者は、レースコースにおける勾配区間の位置や、長さ、傾斜角度等の勾配情報に基づいて、競技前に予め走行するペースの計画を立て、競技中にはその計画に合わせて走行するペースをコントロールする。
従来より、マラソン大会等の競技者が競技中に着用する装置、例えば手首に着用するスポーツウォッチには、ＧＰＳ（Ｇｌｏｂａｌ  Ｐｏｓｉｔｉｏｎｉｎｇ  Ｓｙｓｔｅｍ；全地球測位網）によって現在位置を測定したり、または高度計等の情報センサーによって現在位置の高度を測定したりすることができるものがある。しかしながら、それらのスポーツウォッチは、現在位置の測定結果に関する情報を表示するものに留まっていた。
【０００３】
一方、マラソンやトライアスロン、オリエンテーリング等、コースに沿って設置された計測ポイントを順に通過しながらゴールを目指すようなスポーツ競技において、競技者が計測ポイントを通過したことの判定や通過した時間の計測等の作業を自動化するために、電子機器を使用した計測システムが用いられることがある。例えば、各競技者のゼッケンやシューズ、リストバンド、腕時計、等にＲＦＩＤ（Ｒａｄｉｏ  Ｆｒｅｑｕｅｎｃｙ  Ｉｄｅｎｔｉｆｉｃａｔｉｏｎ；小型省電力ＩＣ通信技術）タグを取り付けておき、計測ポイント上に敷かれたマットに組み込まれたＲＦＩＤリーダーが、ＲＦＩＤタグからの電波を受信することによって、競技者が計測ポイントを通過したことを判定するようなシステムである。
【０００４】
特許文献１に記載の発明では、ＲＦＩＤタグを備える個人用運動装置を競技者が着用する。また、磁界を生成する複数のマットがレースコースに沿って設置される。競技者がコースに沿って進むのに伴い、ＲＦＩＤタグを各マットでトリガし、レースデータを個人用運動装置のディスプレイに表示する。
【先行技術文献】
【特許文献】
【０００５】
【特許文献１】特開２０１３−１２１５４７号公報
【発明の概要】
【発明が解決しようとする課題】
【０００６】
特許文献１に記載の発明において、計測ポイントを通過した時に、競技者が着用する個人用運動装置上で表示が切り替えられる情報は、スタート時点から計測ポイントを通過するまでのスプリットタイムや目標タイム等の情報である。しかしながら、特許文献１に記載の発明は、計測ポイントの通過情報に基づいて各時間情報を表示することができるにとどまる。
【０００７】
本発明は上記の点に鑑みてなされたものであり、計測用電波を受信したことに基づいて、  競技者のコンディション管理に有用な情報を提供できる、電子機器、計測システム、及び電子機器の制御プログラムを提供する。
【課題を解決するための手段】
【０００８】
（１）本発明は上記の課題を解決するためになされたものであり、本発明の一態様は、複数の地点を通過する移動体に装着される電子機器であって、前記複数の地点にそれぞれ対応する地点において計測用電波を受信する受信部と、  前記受信部が前記計測用電波を受信したことに基づいて、次の地点までのコース属性情報を表示する表示部と、を備えることを特徴とする、電子機器である。
【０００９】
（２）また、本発明の一態様は、（１）に記載の電子機器であって、前記コース属性情報として、コースの勾配を示す情報を用いる、ことを特徴とする。
【００１０】
（３）また、本発明の一態様は、（１）または（２）に記載の電子機器であって、前記コース属性情報として、コース中の給水と給食との少なくとも一方を示す情報を用いる、ことを特徴とする。
【００１１】
（４）また、本発明の一態様は、（１）から（３）のいずれか１つに記載の電子機器であって、各地点の前記コース属性情報を記憶する記憶部、を備えることを特徴とする。
【００１２】
（５）また、本発明の一態様は、（１）から（４）のいずれか１つに記載の電子機器であって、各地点の前記コース属性情報を受信する通信部、を備えることを特徴とする。
【００１３】
（６）また、本発明の一態様は、（１）から（５）のいずれか１つに記載の電子機器であって、各地点の前記コース属性情報を入力する入力部、を備えることを特徴とする。
【００１４】
（７）また、本発明の一態様は、計測用電波を発する電波送信装置と、複数の地点を通過する移動体に装着される電子機器であって、前記電波送信装置が発した前記計測用電波を受信する電子機器と、を含み、前記電子機器が前記計測用電波を受信したことに基づいて、前記電子機器は次の地点までのコース属性情報を表示する、ことを特徴とする、計測システムである。
【００１５】
（８）また、本発明の一態様は、複数の地点を通過する移動体に装着される電子機器のコンピューターに、前記複数の地点にそれぞれ対応する地点において計測用電波を受信する手順と、前記計測用電波を受信したことに基づいて、次の地点までのコース属性情報を表示する手順と、を実行させるための、電子機器の制御プログラムである。
【発明の効果】
【００１６】
本発明によれば、計測用電波を受信したことに基づいて、競技者のコンディション管理に有用な情報を提供できる。
【図面の簡単な説明】
【００１７】
【図１】本発明の第１の実施形態に係るレース会場の一例を示す概略図である。
【図２】本発明の第１の実施形態に係る計測システムの一例を示す概略図である。
【図３】本発明の第１の実施形態に係る計測地点間の属性情報の表示の一例を示す概略図である。
【図４】本発明の第１の実施形態に係るリーダー装置及び電子機器の構成の一例を示すブロック図である。
【図５】本発明の第１の実施形態に係る電子機器の動作の一例を示すフローチャートである。
【図６】本発明の第２の実施形態に係るレース会場の一例を示す概略図である。
【図７】本発明の第２の実施形態に係る計測地点間の属性情報の表示の一例を示す概略図である。
【図８】本発明の第２の実施形態に係る電子機器の動作の一例を示すフローチャートである。
【図９】本発明の第３の実施形態に係る外部通信機器の構成の一例を示すブロック図である。
【発明を実施するための形態】
【００１８】
（第１の実施形態）
本発明の第１の実施形態について、図面を参照しながら説明する。なお、本発明の各実施形態における電子機器は、マラソン競技の競技者の手首に装着されるスポーツウォッチである場合を例示して説明する。
競技者は、競技開始前、または競技中に、スポーツウォッチが備えるディスプレイの表示領域に表示される各種の計測地点間の属性情報等を確認する。競技者はそれらの情報を、例えば、走行するペースをコントロールする等の走行上の判断に役立てる。
【００１９】
なお、第１の実施形態における計測地点間の属性情報は、レースコースの勾配情報であるものとする。また本発明はマラソン競技のみに限られるものではなく、例えばトライアスロンやオリエンテーリングをはじめ、コースに沿って設置された計測ポイントを順に通過しながらゴールを目指すような他のスポーツ競技やゲーム等においても適用することが可能である。
【００２０】
図１は、本発明の第１の実施形態に係るレース会場の一例を示す概略図である。
本実施形態に係るレース会場１は、レースコース１１と、スタート地点２１と、ゴール地点２３と、スタート地点計測ポイント３１と、中間地点計測ポイント３２−１〜３２−３と、ゴール地点計測ポイント３３と、を含んで構成される。
【００２１】
レースコース１１は、マラソン競技において、競技者が走行する経路である。レースコース１１は、主に市街地の道路上等を利用して設営される。マラソン競技の競技者は、スタート地点２１から走行を開始し、レースコース１１に沿って走行をして、ゴール地点２３に到達した後に走行を終了する。
【００２２】
スタート地点２１は、マラソン競技の競技者が競技を開始、すなわち走行を開始する地点である。スタート地点２１には、競技者がスタート地点２１の位置を認識することができるように、スタート地点２１であることを示すスタートラインが路上に引かれていたり、横断幕が掲げられていたりする。
【００２３】
なお、特に参加する競技者の人数が多いマラソン大会等においては、競技者が走行を開始する地点が、スタートラインから数十メートル〜数百メートル手前であって、レースコース１１であるスタート地点２１からから離れた地点である場合がある。参加する競技者の人数が多いことによって、スタート時に、スタート地点２１に至近の地点のみに全ての競技者が待機をすることができないためである。
【００２４】
ゴール地点２３は、マラソン競技の競技者がレースコース１１の完走を果たして、走行を終了する地点である。ゴール地点２３には、競技者がゴール地点２３の位置を認識することができるように、マラソン大会の主催者等によってゴールテープが張られていたり、ゴール地点２３であることを示すゴールラインが路上に引かれていたり、横断幕が掲げられていたりする。
【００２５】
スタート地点計測ポイント３１は、通常、例えばスタート地点２１の路面上に引かれるスタートラインに合わせて設定される。本実施形態においては、スタート地点２１とスタート地点計測ポイント３１とは同位置にあるものとする。スタート地点計測ポイント３１とは、マラソン大会の主催者等によって各競技者がレースコース１１の外部からスタートライン等を越えてレースコース１１に進入したことの計測がなされるための、計測ポイントである。
【００２６】
中間地点計測ポイント３２−１〜３２−３は、通常、レースコース１１に沿って一定の間隔で複数の地点に設定される。例えば、一般的なマラソン大会においては、スタート地点２１から５ｋｍ間隔毎に設定されることが多い。第１の実施形態では説明の簡略化のため、中間地点計測ポイント３２−１〜３２−３はスタート地点２１からレースコース上に沿って進みそれぞれ１０ｋｍ、２０ｋｍ、３０ｋｍ経過した地点に設定されているものとする。
【００２７】
ゴール地点計測ポイント３３は、通常、ゴール地点２３の例えばゴールラインに合わせて設定される。本実施形態においては、ゴール地点２３とゴール地点計測ポイント３３とは同位置にあるものとする。ゴール地点計測ポイント３３とは、マラソン大会の主催者等によって各競技者がレースコース１１内からゴールライン等を越えてレースコース１１の外に退出したことの計測がなされるための計測ポイントである。
【００２８】
次に、第１の実施形態における計測システム２の概略について図面を参照しながら説明する。
図２は、本発明の第１の実施形態に係る計測システムの一例を示す概略図である。
図２（Ａ）に示すように、本実施形態に係る計測システム２は、リーダー装置５１と、磁界５２と、電子機器５３と、を含んで構成される。
【００２９】
競技者は、マラソン大会に参加した競技者である。競技者の左手の手首には電子機器５３が装着される。
リーダー装置５１は、スタート地点計測ポイント３１、中間地点計測ポイント３２−１〜３２−３、及びゴール地点計測ポイント３３に設置される。本実施形態では、リーダー装置５１は薄く平坦なマット状の形状をしたＲＦＩＤリーダー装置であるものとし、各計測ポイントの路上に敷設される。
【００３０】
リーダー装置５１は、パッシブ型のＲＦＩＤタグに電波を発信させるための磁界を作るためのアンテナと、ＲＦＩＤタグからのデータを受信するためのアンテナの２種類のアンテナ（図示せず）を備える。パッシブ型のＲＦＩＤタグとは、電池を内蔵せず、リーダー装置５１が発生させる磁界によって引き起こされる電磁誘導等の手段で駆動し、電波の受発信を行うタイプのＲＦＩＤタグのことである。
【００３１】
なお図２（Ａ）に示す破線で描かれた２組の３重の輪は、リーダー装置５１が発生させる磁界５２のイメージを図示したものであり、実際には不可視なものである。磁界５２は、各計測ポイントの路上に敷設されたリーダー装置５１の上部にまんべんなく発生し、競技者は、各競技者がリーダー装置５１の上を通過する際には、必ず磁界５２の中を通過することになる。
【００３２】
図２（Ｂ）は、図２（Ａ）に示した競技者の左手の手首周辺の範囲を拡大して図示したものである。
電子機器５３は、各種の計測地点間の属性情報を表示するディスプレイや、リーダー装置５１が発生させる磁界５２の信号を受信するためのアンテナ（図示せず）等を備える腕時計型の形状をした電子機器である。
【００３３】
但し、電子機器５３は腕時計型の形状をした電子機器のみに限られるものではなく、例えば、スマートフォン等の携帯型情報端末や、サングラスや帽子等の形状をしたウェアラブルコンピューターであってもよい。
【００３４】
また電子機器５３は、競技が開始される前などに各種の計測地点間の属性情報を示すデータの入力を受け付け、その計測地点間の属性情報を示すデータを記憶することができる。第１の実施形態においては、電子機器５３への計測地点間の属性情報の入力は、競技者による手入力によって競技開始前に予めなされているものとする。なお、第１の実施形態における計測地点間の属性情報であるレースコースの勾配情報は、大会の主催者等から予め競技者に伝えられる。
【００３５】
次に、第１の実施形態における競技者の走行記録の一例について図面を参照しながら説明する。
図３は、本発明の第１の実施形態に係る計測地点間の属性情報の表示の一例を示す概略図である。まず図３（Ａ）は、本例におけるレースコース１１の各地点の勾配を示す勾配情報を示すグラフの一例である。
【００３６】
図３（Ａ）において、縦軸は高低差（ｍ）であり、横軸はレースコース１１における各地点を示す。図３（Ａ）の例においては、レースコース１１において最も高度が低い地点を基準点としている。すなわち図３（Ａ）に示すグラフは、各地点毎の、各地点と基準点との高低差をそれぞれ本グラフ上にプロットしたものである。
【００３７】
図３（Ｂ）は、競技者が装着する電子機器５３のディスプレイに表示される各種の情報の一例を示す図である。
第１の実施形態における電子機器５３は、ディスプレイの表示領域の上段に勾配情報を示すグラフを表示する。図３（Ｂ）の表示例においては、１０ｋｍ地点から２０ｋｍ地点までの区間の勾配情報を示すグラフが表示されている。グラフに図示されているとおり、１０ｋｍ地点から２０ｋｍ地点までの区間においては、およそその中間地点である１５ｋｍ地点のあたりにこの区間で最も高度が高い地点があることが示されている。
【００３８】
また、１０ｋｍ地点からこの１５ｋｍ地点あたりにかけては、前半は緩やかな上り勾配が続き、後半の１５ｋｍ地点が近づいてきたあたりで急な上り勾配に変化することが分かる。そして１５ｋｍ地点あたりの最も高度が高い地点を越えた後は２０ｋｍ地点まで下り勾配が続くことが分かる。
【００３９】
電子機器５３は、ディスプレイの表示領域の中段には競技者がスタート地点を出発してからの経過時間（スプリットタイム）を表示する。図３（Ｂ）の表示例においては、スプリットタイムが「１時間５０分３２秒」であることが示されている。なお、スタート地点２１において競技者によって電子機器５３が備える入力ボタンが押されることによってスプリットタイムの計測が開始されてもよいし、スタート地点計測ポイント３１に敷設されたリーダー装置５１が発生させる磁界５２を電子機器５３が受信した時にスプリットタイムの計測が開始されてもよい。
【００４０】
電子機器５３は、ディスプレイの表示領域の下段には「現在時刻」を表示する。図３（Ｂ）の表示例においては、「１０時５０分」が示されている。なお本例においては、中段及び下段には時間情報を表示しているが、その他の計測地点間の属性情報など、別の情報を表示するようにしてもよい。
【００４１】
図３（Ｃ）に図示する表示例６１は、競技者が１０ｋｍ地点の中間地点計測ポイント３２−１を通過して、２０ｋｍ地点の中間地点計測ポイント３２−２に向けて走行している時点での、競技者が装着する電子機器５３のディスプレイに表示される各種の情報の表示例である。それぞれの情報については、図３（Ｂ）の表示例において説明したとおりである。
そして、表示例６２は、競技者が２０ｋｍ地点の中間地点計測ポイント３２−１を通過した時点での、競技者が装着する電子機器５３のディスプレイに表示される各情報の表示例である。
【００４２】
表示例６２では、表示領域の上段に２０ｋｍ地点から３０ｋｍ地点までの勾配情報を示すグラフが表示されている。２０ｋｍ地点の中間地点計測ポイント３２−２を競技者が通過する際に、表示例６１で示した１０ｋｍ地点から１０ｋｍ地点までの勾配情報から、表示例６２で示した２０ｋｍ地点から３０ｋｍ地点までの勾配情報へと表示が切り替わる。すなわち、２０ｋｍ地点の中間地点計測ポイント３２−２上に敷設されたリーダー装置５１が発生させる磁界５２を、競技者が着用する電子機器５３が受信することによって、電子機器５３は、勾配情報を表示する区間を上記のとおり切り替える。
【００４３】
（リーダー装置及び電子機器の構成）
次に、本実施形態に係るリーダー装置５１及び電子機器５３の構成について図面を参照しながら説明する。
図４は、本発明の第１の実施形態に係るリーダー装置及び電子機器の構成の一例を示すブロック図である。
【００４４】
リーダー装置５１は各種の計測ポイント、例えば、スタート地点計測ポイント３１、中間地点計測ポイント３２−１〜３２−３、及びゴール地点計測ポイント３３、の道路上等に敷設される。リーダー装置５１は、例えば、マット状の平坦な形状をしたアンテナ部分を備え、ＲＦＩＤタグとの電波の受発信を行うＲＦＩＤリーダーである。リーダー装置５１は、競技者がリーダー装置５１のマット上を通過したことの判定等をするために敷設される。
リーダー装置５１は、マット５１１と、信号発生コイル５１２と、信号発信器５１３と、を含んで構成される。
【００４５】
マット５１１は、競技者が競技中に踏み越えていく際に、違和感なく走行を継続できるために適切な硬度や薄さ、大きさ等を具備する部材によって構成される。また、マット５１１は、競技の参加者全員がマット５１１を踏み越えても十分に耐えうるだけの耐久性と、マット５１１の内部に含まれる信号発生コイル５１２を十分に保護できるだけの耐衝撃性、及び雨天の場合でも信号発生コイル５１２を十分に保護できるだけの耐水性、等を備えて構成される。
【００４６】
信号発生コイル５１２は、マット５１１に埋め込まれ、導線部分を環状のコイルにしたたアンテナである。
信号発信器５１３は、信号発生コイル５１２と接続される。信号発信器５１３が信号発生コイル５１２に電流を供給することによって、信号発生コイル５１２は磁界５２を発生させる。
また、信号発信器５１３は、信号発生コイル５１２とのデータの送受信を行う。
【００４７】
電子機器５３は、受信アンテナ５３１と、受信回路５３２と、マイクロプロセッサ５３３と、ディスプレイ５３４と、メモリ５３５と、外部操作部材５３６と、電源５３７と、を含んで構成される。
【００４８】
受信アンテナ５３１は、信号発生コイル５１２が発生させる磁界５２を受信する。
受信回路５３２は、受信アンテナ５３１が磁界５２を受信し、磁界５２を受信したことを示す信号をマイクロプロセッサ５３３に送信する。
【００４９】
なお、受信アンテナ５３１は、信号発生コイル５１２が発生させる磁界５２を受信するほか、送信所から送信される標準電波を受信するためのアンテナを兼ねたアンテナであってもよい。すなわち受信アンテナ５３１は、電波時計用のアンテナに信号発生コイル５１２が発生させる磁界５２を受信する機能を追加したアンテナであってもよい。
受信回路５３２は、受信アンテナ５３１が受信した磁界５２や標準電波等を、マイクロプロセッサ５３３が処理可能なデータの形式に変換をする。
【００５０】
マイクロプロセッサ５３３は、電子機器５３の各種の制御を行う。マイクロプロセッサは５３３は、例えば、ＣＰＵ（Ｃｅｎｔｒａｌ  Ｐｒｏｃｅｓｓｉｎｇ  Ｕｎｉｔ；中央演算処理装置）である。またマイクロプロセッサ５３３は、現在時刻を計る時計機能を有し、現在時刻をディスプレイ５３４に表示させる。そしてマイクロプロセッサ５３３は、ディスプレイ５３４の表示領域に表示させる現在時刻を、１秒間隔または１分間隔等の一定の間隔で更新させる。例えば、上述した図３（Ｂ）下段に表示される現在時刻を更新させる。
【００５１】
マイクロプロセッサ５３３は、受信回路５３２から磁界５２を受信したことを示す信号が入力されると、次の区間の勾配情報を示すデータを、メモリ５３５に予め記憶されたデータから取得する。そして、マイクロプロセッサ５３３は、取得した次の区間の勾配情報を示すデータに基づいて、ディスプレイ５３４の表示領域の表示を切り替える。例えば、上述した図３（Ｂ）上段に表示される勾配情報を示すグラフの表示を切り替える。
【００５２】
マイクロプロセッサ５３３は、外部操作部材５３６から入力された情報に基づいて、ディスプレイ５３４に表示される各種の情報を表示したりする。また、マイクロプロセッサ５３３は、外部操作部材５３６から入力された情報に基づいて、メモリ５３５に記憶させるデータの読み書きを行う。
【００５３】
ディスプレイ５３４は、各種の時間情報等を表示する。ディスプレイ５３４は、例えば、液晶ディスプレイ、有機ＥＬ（Ｅｌｅｃｔｒｏｌｕｍｉｎｅｓｃｅｎｃｅ）ディスプレイ、等を含んで構成される。
【００５４】
メモリ５３５は、各種のデータやプログラム等を記憶する。メモリ５３５は記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、またはそれらの組み合わせ、を含んで構成される。
例えば、競技者によって競技開始前に予め入力される、レースコース１１の各地点の勾配情報等の計測地点間の属性情報を示すデータもメモリ５３５に記憶される。
【００５５】
外部操作部材５３６は、競技者から操作入力を受け付けるための部材である。外部操作部材５３６は、例えば、入力ボタンや、ねじ、ダイヤル、タッチパッド、ポインティングデバイス等の部材である。
また外部操作部材５３６は、遠隔装置からの操作入力を受け付けるための通信デバイスであってもよい。
【００５６】
なお、上記のディスプレイ５３４と外部操作部材５３６は、両者の機能を兼ね備えた部材を使用してもよい。すなわち表示機能と外部入力機能とを兼ね備えた、タッチパネル等の部材を使用してもよい。
電源５３７は、電子機器５３の各構成部品に電力を供給する。
【００５７】
（電子機器の動作）
次に、第１の実施形態に係る電子機器５３の動作について説明する。
図５は、本発明の第１の実施形態に係る電子機器の動作の一例を示すフローチャートである。
【００５８】
（ステップＳ１０１）まず競技が開始する前に予め、レースコース１１の各地点の勾配情報を示すデータが自己の外部操作部材５３６を介して電子機器５３に入力され、自己の電子機器５３のメモリ５３５に記憶される。入力された各地点の勾配情報を示すデータから、区間Ｋ［Ｎ］（Ｎ＝１〜ｎ）毎に、電子機器５３のマイクロプロセッサ５３３によってそれぞれまとめられ、区間Ｋ［Ｎ］（Ｎ＝１〜ｎ）毎の勾配情報を示すデータが生成される。生成されたデータは、電子機器５３のメモリ５３５に記憶される。なおここでは、区間Ｋ［１］はスタート地点から最初の中間地点計測ポイント、すなわち１０ｋｍ地点の中間地点計測ポイント３２−１までの区間であるものとする。また、区間Ｋ［ｎ］は最後の中間地点計測ポイント、すなわち３０ｋｍ地点の中間地点計測ポイントからゴール地点２３までの区間であるものとする。その後、ステップＳ１０２へ進む。
【００５９】
（ステップＳ１０２）競技がスタートし、スタートライン手前から走行を開始した競技者は、スタート地点２１に引かれたスタートライン上に到達する。スタートライン上はスタート地点計測ポイント３１となっており、リーダー装置５１が敷設されている。競技者が装着する電子機器５３は自己の電子機器５３の受信アンテナ５３１を介して、リーダー装置５１が発生させる磁界を受信する。その後、ステップＳ１０３へ進む。
【００６０】
（ステップＳ１０３）リーダー装置５１が発生させる磁界５２を自己の受信アンテナ５３１を介して受信した電子機器５３は、自己の電子機器５３がスタート地点２１を通過したものと判定する。電子機器５３は、自己の電子機器５３のメモリ５３５が記憶している最初の区間Ｋ［Ｎ］（Ｎ＝１）の勾配情報を示すグラフを自己の電子機器５３のディスプレイ５３４に表示する。その後、ステップＳ１０４へ進む。
【００６１】
（ステップＳ１０４）電子機器５３は自己の電子機器５３の受信アンテナ５３１を介して、リーダー装置５１が発生させる磁界５２を受信した場合、ステップＳ１０５へ進む。リーダー装置５１が発生させる磁界５２を受信していない場合には、ステップＳ１０４に留まる。
【００６２】
（ステップＳ１０５）リーダー装置５１が発生させる磁界５２を自己の受信アンテナ５３１を介して受信した電子機器５３は、自己の電子機器５３が区間Ｋ［Ｎ］を通過したものと判定する。そして電子機器５３は自己の電子機器５３のマイクロプロセッサ５３３によって、Ｎに１を加算する。その後、ステップＳ１０６へ進む。
【００６３】
（ステップＳ１０６）電子機器５３は、自己の電子機器５３のメモリ５３５が記憶しているＮ番目の区間である区間Ｋ［Ｎ］の勾配情報を示すグラフを自己の電子機器５３のディスプレイ５３４に表示する。その後、ステップＳ１０７へ進む。
【００６４】
（ステップＳ１０７）電子機器５３は自己の電子機器５３のマイクロプロセッサ５３３によって、Ｎとｎとの大きさを比較する。Ｎ＜ｎであった場合、ステップＳ１０４へ戻る。Ｎ＜ｎでなかった場合、すなわちゴール地点までの区間であり最後の区間である区間Ｋ［ｎ］の勾配情報をステップＳ１０６において表示した場合には、本フローチャートが示す処理を終了する。
【００６５】
以上説明したように、本実施形態によれば、電子機器５３は常に現在走行中の区間の勾配情報を示すグラフをディスプレイに表示する。そして電子機器５３は、計測ポイント上に敷設されたリーダー装置５１が発生させる磁界を受信した場合、電子機器５３は計測ポイントを通過したものと判定する。計測ポイントを通過したものと判定した場合、すなわち次の区間に入ったものと判定した場合、電子機器５３はその区間に該当する勾配情報を示すグラフを表示するようにディスプレイの表示を切り替える。
【００６６】
上記のとおり、電子機器５３はリーダー装置５１が発生させる磁界を受信した場合、計測ポイントを通過したものと判定し、自動的に現在走行中の区間の勾配情報を示すグラフを表示するようにディスプレイの表示を切り替える。したがって競技中には、競技者は電子機器５３の操作をすることなく、常に現在走行中の区間の勾配情報を認識することができる。
以上により、第１の実施形態に係る電子機器５３は、計測用電波を受信したことに基づいて、競技者のコンディション管理に有用な情報を提供できる。
【００６７】
（第２の実施形態）
本発明の第２の実施形態について、図面を参照しながら説明する。
例えば、マラソン大会の競技者の中でも、初級レベルの競技者は、スタートしてからゴールに到達するまでに多くの時間を要することも多い。そのため、特にそうした競技者にとっては、競技中の体力の低下を抑えるために、いかに競技中に計画的に栄養を摂取するかも重要となる。例えば、市民マラソン等においては、大会の主催者やボランティア等によって、競技者に食料が配給される給食地点がレースコース上に設けられていることも多い。
【００６８】
第１の実施形態における計測地点間の属性情報はレースコースの各区間の勾配情報であるものとしたが、第２の実施形態における計測地点間の属性情報はレースコースの各区間において配給される食料に関する情報、すなわち給食情報であるものとする。
なお、第１の実施形態と構成が共通する部分については説明を省略する。
【００６９】
図６は、本発明の第２の実施形態に係るレース会場の一例を示す概略図である。
本実施形態に係るレース会場１は、レースコース１１と、スタート地点２１と、ゴール地点２３と、スタート地点計測ポイント３１と、中間地点計測ポイント３２−１〜３２−３と、ゴール地点計測ポイント３３と、給食地点７１−１〜７１−４と、を含んで構成される。
【００７０】
給食地点７１−１〜７１−４は、走行中の競技者に対し、食料を配給する地点であることを示す。
図６に図示するように、１０ｋｍ地点の中間地点計測ポイント３２−１と２０ｋｍ地点の中間地点計測ポイント３２−２との間には、給食地点７１−１が設置されていることが分かる。また、給食地点７１−１において配給される食料は、スイカとリンゴであることが分かる。
【００７１】
２０ｋｍ地点の中間地点計測ポイント３２−２と３０ｋｍ地点の中間地点計測ポイント３２−３との間には、給食地点７１−２及び給食地点７１−３の２か所に給食地点が設置されていることが分かる。また、給食地点７１−２において配給される食料はスイカであり、給食地点７１−３において配給される食料はバナナとリンゴであることが分かる。
３０ｋｍ地点の中間地点計測ポイント３２−３とゴール地点計測ポイント３３との間には、給食地点７１−４が設置されていることが分かる。また、給食地点７１−４において配給される食料はリンゴとスイカとバナナであることが分かる。
【００７２】
次に、電子機器５３が表示する各種の計測地点間の属性情報の表示の一例について図面を参照しながら説明する。
図７は、本発明の第２の実施形態に係る計測地点間の属性情報の表示の一例を示す概略図である。
【００７３】
まず、図７（Ａ）は、電子機器５３に予め入力され記憶される給食情報を示すデータの一例である。このデータは、レースコース１１の各区間と、各区間内に設置された給食地点で配給される食料とが対応付けられた、「場所」と「給食情報」の２つの項目からなる２次元の表形式のデータである。
【００７４】
図７（Ａ）のデータにおいて、レースコース１１の最初の区間であるスタート地点計測ポイント３１から１０ｋｍ地点の中間地点計測ポイント３２−１までの区間では、配給される食料は無い、すなわち給食地点が無いことを示す。また同様に図７（Ａ）のデータにおいて、１０ｋｍ地点の中間地点計測ポイント３２−１から２０ｋｍ地点の中間地点計測ポイント３２−２までの区間では、配給される食料はスイカとリンゴであることを示す。その後に続く区間についても同様である。
【００７５】
図３（Ｂ）は、競技者が装着する電子機器５３のディスプレイに表示される各種の情報の一例を示す図である。
第２の実施形態における電子機器５３は、ディスプレイの表示領域の上段に給食情報を示すイラストを表示する。図３（Ｂ）の表示例においては、スイカとリンゴのイラストが表示されており、現在走行中の区間内に設置された給食地点で配給される食料はスイカとリンゴであることを示す。
【００７６】
ディスプレイの表示領域の中段には競技者がスタート地点を出発してからの経過時間（スプリットタイム）を表示する。
また、ディスプレイの表示領域の下段には「現在時刻」を表示する。
【００７７】
図７（Ｃ）に図示する表示例８１は、競技者が１０ｋｍ地点の中間地点計測ポイント３２−１を通過して、２０ｋｍ地点の中間地点計測ポイント３２−２に向けて走行中の時点での、競技者が装着する電子機器５３のディスプレイに表示される各情報の表示例である。各情報についての説明は、図７（Ｂ）の表示例における各情報の説明と同様である。
そして、表示例８２は、競技者が２０ｋｍ地点の中間地点計測ポイント３２−１を通過した時点での、競技者が装着する電子機器５３のディスプレイに表示される各情報の表示例である。
【００７８】
表示例８２では、表示領域の上段に２０ｋｍ地点から３０ｋｍ地点までの区間の給食情報を示すスイカ、バナナ及びリンゴのイラストが表示されている。２０ｋｍ地点の中間地点計測ポイント３２−２を競技者が通過する際に、表示例８１で示した１０ｋｍ地点から２０ｋｍ地点までの給食情報から、表示例８２で示した２０ｋｍ地点から３０ｋｍ地点までの給食情報へと表示が切り替わる。
【００７９】
すなわち、２０ｋｍ地点の中間地点計測ポイント３２−２上に敷設されたリーダー装置５１が発生させる磁界５２を、競技者が着用する電子機器５３が受信することによって、電子機器５３は、給食情報を表示する区間を上記のとおり切り替える。
【００８０】
（電子機器の動作）
次に、第２の実施形態に係る電子機器５３の動作について説明する。
図８は、本発明の第２の実施形態に係る電子機器の動作の一例を示すフローチャートである。
（ステップＳ２０１）まず競技が開始する前に予め、レースコース１１の各区間Ｋ［Ｎ］（Ｎ＝１〜ｎ）毎の給食情報を示すデータが自己の外部操作部材５３６を介して電子機器５３に入力される。なお、第２の実施形態においても、区間Ｋ［１］はスタート地点２１から最初の中間地点計測ポイントである中間地点計測ポイント３２−１までの区間であるものとする。また、区間Ｋ［ｎ］は最後の中間地点計測ポイントである中間地点計測ポイント３２−３からゴール地点２３までの区間であるものとする。その後、ステップＳ２０２へ進む。
【００８１】
（ステップＳ２０２）競技がスタートし、スタートライン手前から走行を開始した競技者は、スタート地点２１に引かれたスタートライン上に到達する。スタートライン上はスタート地点計測ポイント３１となっており、リーダー装置５１が敷設されている。競技者が装着する電子機器５３は自己の電子機器５３の受信アンテナ５３１を介して、リーダー装置５１が発生させる磁界を受信する。その後、ステップＳ２０３へ進む。
【００８２】
（ステップＳ２０３）リーダー装置５１が発生させる磁界５２を自己の受信アンテナ５３１を介して受信した電子機器５３は、自己の電子機器５３がスタート地点２１を通過したものと判定する。電子機器５３は、自己の電子機器５３のメモリ５３５が記憶している最初の区間Ｋ［Ｎ］（Ｎ＝１）の給食情報を示すイラストを自己の電子機器５３のディスプレイ５３４に表示する。その後、ステップＳ２０４へ進む。
【００８３】
（ステップＳ２０４）電子機器５３は自己の電子機器５３の受信アンテナ５３１を介して、リーダー装置５１が発生させる磁界５２を受信した場合、ステップＳ２０５へ進む。リーダー装置５１が発生させる磁界５２を受信していない場合には、ステップＳ２０４に留まる。
【００８４】
（ステップＳ２０５）リーダー装置５１が発生させる磁界５２を自己の受信アンテナ５３１を介して受信した電子機器５３は、自己の電子機器５３が区間Ｋ［Ｎ］を通過したものと判定する。そして電子機器５３は、自己の電子機器５３のマイクロプロセッサ５３３によって、Ｎに１を加算する。その後、ステップＳ２０６へ進む。
【００８５】
（ステップＳ２０６）電子機器５３は、自己の電子機器５３のメモリ５３５が記憶しているＮ番目の区間である区間Ｋ［Ｎ］の給食情報を示すイラストを自己の電子機器５３のディスプレイ５３４に表示する。その後、ステップＳ２０７へ進む。
【００８６】
（ステップＳ２０７）電子機器５３は自己の電子機器５３のマイクロプロセッサ５３３によって、Ｎとｎとの大きさを比較する。Ｎ＜ｎであった場合、ステップＳ２０４へ戻る。Ｎ＜ｎでなかった場合、すなわちゴール地点までの区間であり最後の区間である区間Ｋ［ｎ］の給食情報をステップＳ２０６において表示した場合には、本フローチャートが示す処理を終了する。
【００８７】
以上説明したように、本実施形態によれば、電子機器５３は常に現在走行中の区間の給食情報を示すイラストをディスプレイに表示する。そして電子機器５３は、計測ポイント上に敷設されたリーダー装置５１が発生させる磁界を受信した場合、電子機器５３は計測ポイントを通過したものと判定する。、計測ポイントを通過したものと判定した場合、すなわち次の区間に入ったものと判定した場合、電子機器５３はその区間に該当する給食情報を示すイラストを表示するようにディスプレイの表示を切り替える。
【００８８】
上記のとおり、電子機器５３はリーダー装置５１が発生させる磁界を受信した場合、計測ポイントを通過したものと判定し、自動的に現在走行中の区間の給食情報示すイラストを表示するようにディスプレイの表示を切り替える。したがって競技中には、競技者は電子機器５３の操作をすることなく、常に現在走行中の区間の給食情報を認識することができる。
以上により、第２の実施形態に係る電子機器５３は、計測用電波を受信したことに基づいて、競技者のコンディション管理に有用な情報を提供できる。
【００８９】
（第３の実施形態）
次に、本発明の第３の実施形態について説明する。
本発明に係る電子機器５３は、競技が開始される前に予め計測地点間の属性情報の入力を受け付け、その計測地点間の属性情報を記憶することができる。第１の実施形態及び第２の実施形態においては、電子機器５３への計測地点間の属性情報の入力は、競技者による手入力によって競技開始前に予めなされているものとした。
【００９０】
第３の実施形態においては、電子機器５３への計測地点間の属性情報を手入力によって入力するのではなく、外部通信機器から受信することによって入力する。なお、第１の実施形態及び第２の実施形態と構成が共通している部分については、説明を省略する。
【００９１】
第３の実施形態において、競技者はレースコース１１の勾配情報や給食情報等の計測地点間の属性情報を示すデータを、競技開始前に予め外部通信機器を介して電子機器５３に入力して記憶させる。但し、第３の実施形態において入力される情報は勾配情報や給食情報のみには限られない。
なお、レースコース１１の計測地点間の属性情報は、大会主催者等から予め競技者に伝えられる。
【００９２】
（外部通信機器の構成）
次に、第３の実施形態に係る外部通信機器５４の構成について図面を参照しながら説明する。
図９は、本発明の第３の実施形態に係る外部通信機器の構成の一例を示すブロック図である。
【００９３】
外部通信機器５４は、送信アンテナ５４１と、信号発信器５４２と、マイクロプロセッサ５４３と、ディスプレイ５４４と、メモリ５４５と、外部操作部材５４６と、電源５４７と、を含んで構成される。
送信アンテナ５４１は、勾配情報や給食情報等の計測地点間の属性情報を示すデータを含む電波を発信する。送信アンテナ５４１が送信した電波を、例えば電子機器５３は、受信アンテナ５３１（図４に図示）によって受信する。
【００９４】
なお図９においては、送信アンテナ５４１が発信する電波によって電子機器５３へデータを送信する構成としたが、その他の方法であってもよい。例えば、外部通信機器５４がが送信アンテナ５４１の代わりに通信ネットワークに接続するための装置、すなわち、通信インターフェースを備えることによって、通信ネットワークを介して電子機器５３へデータを送信してもよい。
【００９５】
その場合の通信インターフェースとは、例えば、ＬＡＮ（Ｌｏｃａｌ  Ａｒｅａ  Ｎｅｔｗｏｒｋ；構内通信網）ケーブルを介して有線ＬＡＮルーターに接続するための接続端子、またはＷｉ−Ｆｉ（Ｗｉｒｅｌｅｓｓ  Ｆｉｄｅｌｉｔｙ）接続によって無線ＬＡＮルーターに接続するための通信装置（無線ＬＡＮ子機）である。
【００９６】
信号発信器５４２は、計測地点間の属性情報を示すデータ等を、送信アンテナ５４１が送信可能な信号に変換をしたり、または符号化したりする。
【００９７】
マイクロプロセッサ５４３は、外部通信機器の各種の制御を行う。マイクロプロセッサは５３３は、例えば、ＣＰＵである。
マイクロプロセッサ５４３は、外部操作部材５４６から入力された情報に基づいて、ディスプレイ５４４に各種の情報を表示したりする。また、マイクロプロセッサ５４３は、外部操作部材５４６から入力された情報に基づいて、メモリ５４５に記憶させるデータの読み書きを行う。
【００９８】
また、マイクロプロセッサ５４３は、メモリ５４５に記憶された計測地点間の属性情報を示すデータ等を読み出し、電子機器５３にそのデータを送信するために信号発信器５４２へ出力する。
【００９９】
ディスプレイ５４４は、外部操作部材５４６から入力された情報や、メモリ５４５に記憶された情報を表示するため等に用いられる。ディスプレイ５４４は、例えば、液晶ディスプレイ、有機ＥＬ（Ｅｌｅｃｔｒｏｌｕｍｉｎｅｓｃｅｎｃｅ）ディスプレイ、等を含んで構成される。
【０１００】
メモリ５４５は、各種のデータやプログラム等を記憶する。メモリ５４５は記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、またはそれらの組み合わせ、を含んで構成される。
例えば、競技者が競技前に予め入力する、計測地点間の属性情報等を示すデータ等が、メモリ５４５に記憶される。
【０１０１】
外部操作部材５４６は、競技者から操作入力を受け付けるための部材である。外部操作部材５４６は、例えば、キーボードや、マウス、タッチパッド、ポインティングデバイス等の部材である。
なお、上記のディスプレイ５４４と外部操作部材５４６は、両者の機能をを兼ねた部材を使用してもよい。すなわち表示機能と外部入力機能とを兼ね備えた、タッチパネル等の部材を使用してもよい。
【０１０２】
また外部操作部材５４６の代わりに、遠隔装置からの操作入力を受け付けるための通信ネットワークに接続するための装置、すなわち、通信インターフェースを備えることによって、操作入力を受け付けてもよい。その場合の通信インターフェースとは、例えば、ＬＡＮ（Ｌｏｃａｌ  Ａｒｅａ  Ｎｅｔｗｏｒｋ；構内通信網）ケーブルを介して有線ＬＡＮルーターに接続するための接続端子、またはＷｉ−Ｆｉ（Ｗｉｒｅｌｅｓｓ  Ｆｉｄｅｌｉｔｙ）接続によって無線ＬＡＮルーターに接続するための通信装置（無線ＬＡＮ子機）である。
【０１０３】
また、計測地点間の属性情報等を示すデータ等は、外部操作部材５４６から入力すること以外の手段によって生成されてもよい。例えば、外部通信機器５４が備える送信アンテナ５４１や通信デバイスを介して、大会主催者等が提供するインターネットサイト等からダウンロードをすることによって、外部通信機器５４は計測地点間の属性情報等を示すデータ等を取得してもよい。それによって、競技者が大会情報を外部操作部材５４６を用いて外部通信機器５４へ入力する作業を自動化することができる。
電源５４７は、外部通信機器５４の各構成部品に電力を供給する。
【０１０４】
以上、第３の実施形態について説明した。ところで、本実施形態において例示した電子機器５３は競技中に競技者の手首に装着しておくものであるため、できるだけ小型で軽量となるような構成にすることが望ましい。そのため、電子機器５３が備える外部操作部材５３６は、とても小さくシンプルな構成になりやすい。したがって競技者が、電子機器５３が備える外部操作部材５３６から大会情報等を示すデータを入力する作業は手間がかかる作業になりがちである。
【０１０５】
そこで第３の実施形態で説明したように、外部通信機器５４を介して電子機器５３へ計測地点間の属性情報を示すデータを電子機器５３に入力することによって、競技者がデータを入力する作業の手間を軽減することができる。
【０１０６】
また、上述したように、大会主催者等がインターネットサイト等において計測地点間の属性情報を示すデータを提供している場合においては、競技者がデータを入力する作業を省略することができる。すなわち、計測地点間の属性情報を示すデータをダウンロードすることによって外部通信機器５４が取得したり、または電子機器５３が直接取得したりするようにすればよい。
【０１０７】
以上、この発明の実施形態について詳しく説明してきたが、具体的な構成は上述のものに限られることはなく、この発明の要旨を逸脱しない範囲内において様々な設計変更等をすることが可能である。
【０１０８】
なお、上述した実施形態におけるリーダー装置５１、電子機器５３、及び外部通信機器５４の一部または全部を、コンピューターで実現するようにしてもよい。その場合、この制御機能を実現するためのプログラムを、コンピューターにより読み取り可能な記録媒体に記録して、この記録媒体に記録されたプログラムをコンピューターシステムに読み込ませ、実行することによって実現してもよい。
【０１０９】
なお、ここでいう「コンピューターシステム」とは、リーダー装置５１、電子機器５３、及び外部通信機器５４に内蔵されたコンピューターシステムであって、ＯＳや周辺機器等のハードウェアを含むものとする。また、「コンピューターにより読み取り可能な記録媒体」とは、フレキシブルディスク、光磁気ディスク、フラッシュメモリ、ＥＥＰＲＯＭ、ＲＯＭ、ＲＡＭ、ＣＤ−ＲＯＭ等の可搬媒体、コンピューターシステムに内蔵されるハードディスク等の記憶装置、またはそれらの任意の組み合わせによって構成される記憶媒体のことをいう。
【０１１０】
さらに「コンピューターにより読み取り可能な記録媒体」とは、インターネット等の通信ネットワークや電話回線等の通信回線を介してプログラムを送信する場合の通信線のように、短時間、動的にプログラムを保持するもの、その場合のサーバーやクライアントとなるコンピューターシステム内部の揮発性メモリのように、一定時間プログラムを保持しているものも含んでもよい。また上記プログラムは、前述した機能の一部を実現するためのものであっても良く、さらに前述した機能をコンピューターシステムにすでに記録されているプログラムとの組み合わせで実現できるものであってもよい。
【０１１１】
また、上述した実施形態におけるリーダー装置５１、電子機器５３、及び外部通信機器５４の一部または全部を、ＬＳＩ（Ｌａｒｇｅ  Ｓｃａｌｅ  Ｉｎｔｅｇｒａｔｉｏｎ）等の集積回路として実現してもよい。リーダー装置５１、電子機器５３、及び外部通信機器５４の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１１２】
１・・・レース会場、２・・・計測システム、１１・・・レースコース、２１・・・スタート地点、２３・・・ゴール地点、３１・・・スタート地点計測ポイント、３２−１・・・１０ｋｍ地点の中間地点計測ポイント、３２−２・・・２０ｋｍ地点の中間地点計測ポイント、３２−３・・・３０ｋｍ地点の中間地点計測ポイント、３３・・・ゴール地点計測ポイント、５１・・・リーダー装置、５１１・・・マット、５１２・・・信号発生コイル、５１３・・・信号発信器、５２・・・磁界、５３・・・電子機器、５３１・・・受信アンテナ、５３２・・・受信回路、５３３・・・マイクロプロセッサ、５３４・・・ディスプレイ、５３５・・・メモリ、５３６・・・外部操作部材、５３７・・・電源、５４・・・外部通信機器、５４１・・・送信アンテナ、５４２・・・信号発信器、５４３・・・マイクロプロセッサ、５４４・・・ディスプレイ、５４５・・・メモリ、５４６・・・外部操作部材、５４７・・・電源、６１・・・表示例（１）、６２・・・表示例（２）、７１−１・・・給食地点（１）、７１−２・・・給食地点（２）、７１−３・・・給食地点（３）、７１−４・・・給食地点（４）、８１・・・表示例（３）、８２・・・表示例（４）
【図１】
2016137069.tif 000003
【図２】
2016137069.tif 000004
【図３】
2016137069.tif 000005
【図４】
2016137069.tif 000006
【図５】
2016137069.tif 000007
【図６】
2016137069.tif 000008
【図７】
2016137069.tif 000009
【図８】
2016137069.tif 000010
【図９】
2016137069.tif 000011